(57)【特許請求の範囲】
【請求項１】
画像表示装置であって、
右眼用画像を、右眼により視認され、かつ、左眼により視認されないように表示し、左眼用画像を、左眼により視認され、かつ、右眼により視認されないように表示する画像表示部と、
右眼と左眼との少なくとも一方に、視覚機能低下の症状を模擬的に表す画像領域である症状画像領域を対応付ける症状設定部と、
使用者の右眼および左眼の視線方向を検出する視線方向検出部と、
前記右眼用画像および前記左眼用画像を前記画像表示部に供給する表示制御部であって、右眼に前記症状画像領域が対応付けられている場合には、検出された右眼の視線方向に対応する位置に前記症状画像領域が配置された画像を前記右眼用画像として供給し、左眼に前記症状画像領域が対応付けられている場合には、検出された左眼の視線方向に対応する位置に前記症状画像領域が配置された画像を前記左眼用画像として供給する表示制御部と、
を備える、画像表示装置。
【請求項２】
請求項１に記載の画像表示装置であって、
前記症状設定部は、右眼と左眼との両方に、互いに独立して設定された前記症状画像領域を対応付ける、画像表示装置。
【請求項３】
請求項１または請求項２に記載の画像表示装置であって、
前記画像表示部は、
前記右眼用画像および前記左眼用画像を表示面に表示する表示実行部と、
前記使用者の左眼から前記表示面への視線と、前記使用者の右眼から前記表示面への視線とを、所定の周期で交互に遮るシャッター部と、
を含み、
前記表示制御部は、前記右眼用画像と、前記左眼用画像とを、前記所定の周期に同期した周期で交互に前記画像表示部に供給する、画像表示装置。
【請求項４】
請求項１または請求項２に記載の画像表示装置であって、
前記画像表示部は、
前記右眼用画像を前記使用者の右眼に視認させる右眼用表示実行部と、
前記右眼用表示実行部とは独立して設けられ、前記左眼用画像を前記使用者の左眼に視認させる左眼用表示実行部と、
を含むヘッドマウントディスプレイである、画像表示装置。
【請求項５】
請求項３または請求項４に記載の画像表示装置であって、さらに、
前記視覚機能低下の症状の無い視界を模擬的に表す正常画像を記憶する記憶部を備え、
前記表示制御部は、
右眼に前記症状画像領域が対応付けられていない場合には、前記正常画像を前記右眼用画像として供給し、右眼に前記症状画像領域が対応付けられている場合には、前記正常画像における検出された右眼の視線方向に対応する位置に前記症状画像領域が配置された画像を前記右眼用画像として供給し、
左眼に前記症状画像領域が対応付けられていない場合には、前記正常画像を前記左眼用画像として供給し、左眼に前記症状画像領域が対応付けられている場合には、前記正常画像における検出された左眼の視線方向に対応する位置に前記症状画像領域が配置された画像を前記左眼用画像として供給する、画像表示装置。
【請求項６】
請求項４に記載の画像表示装置であって、
前記ヘッドマウントディスプレイは、前記右眼用画像および前記左眼用画像を現実の外景に重ねて前記使用者に視認させる光学透過型のヘッドマウントディスプレイであり、
前記右眼用画像および前記左眼用画像は、前記症状画像領域のみから構成されている、画像表示装置。
【請求項７】
請求項１から請求項６までのいずれか一項に記載の画像表示装置であって、
前記症状画像領域は、視野欠損を模擬的に表すマスク画像領域である、画像表示装置。
【請求項８】
画像表示装置のコンピュータに、
右眼用画像を、右眼により視認され、かつ、左眼により視認されないように表示し、左眼用画像を、左眼により視認され、かつ、右眼により視認されないように表示する処理と、
右眼と左眼との少なくとも一方に、視覚機能低下の症状を模擬的に表す画像領域である症状画像領域を対応付ける処理と、
使用者の右眼および左眼の視線方向を検出する処理と、
前記右眼用画像および前記左眼用画像を供給する処理であって、右眼に前記症状画像領域が対応付けられている場合には、検出された右眼の視線方向に対応する位置に前記症状画像領域が配置された画像を前記右眼用画像として供給し、左眼に前記症状画像領域が対応付けられている場合には、検出された左眼の視線方向に対応する位置に前記症状画像領域が配置された画像を前記左眼用画像として供給する処理と、
を実行させる、コンピュータプログラム。
【発明の詳細な説明】
【技術分野】
【０００１】
本明細書に開示される技術は、画像表示装置に関する。
【背景技術】
【０００２】
視覚機能低下の１つである緑内障（視野欠損）の研究や教育等のため、画像の一部の領域を緑内障の症状を模擬的に表す症状画像（例えば、黒色のマスク画像）に置き換える画像処理を行い、画像処理後の画像を表示することにより、使用者に緑内障の症状を仮想的に体験させる技術が知られている（例えば、特許文献１参照）。また、緑内障の症状の模擬の忠実性を向上させるため、使用者の視線方向を検出し、視線方向の変化に合わせて症状画像（マスク画像）の位置を変化させる技術が知られている（例えば、非特許文献１参照）。
【先行技術文献】
【特許文献】
【０００３】
【特許文献１】特開２０００−３３８８５７号公報
【非特許文献】
【０００４】
【非特許文献１】フィオナ・シー・グレン(Fiona C Glen)、外2名、"コンピュータベースのドライビングテストにおける障害物検出への高位および低位の視野欠損の影響(Impact of superior and inferior visual field loss on hazard detection in a computer-based driving test)"、［online］、平成２６年１１月２５日、英国眼科学会報(British Journal of Ophthalmology )、［平成２８年４月１１日検索］、インターネット〈URL：http://bjo.bmj.com/content/99/5/613.short〉
【発明の概要】
【発明が解決しようとする課題】
【０００５】
一般に、緑内障の症状は、右眼と左眼との一方または両方に、個別に生ずる。しかし、上記従来の技術では、表示された１つの症状画像（マスク画像）が使用者の両眼により視認されるため、緑内障の症状の模擬の忠実性が十分に高いとは言えないという課題がある。なお、このような課題は、緑内障に限らず、視覚機能低下の症状を模擬する場合に共通の課題である。
【０００６】
本明細書では、上述した課題の少なくとも一部を解決することが可能な技術を開示する。
【課題を解決するための手段】
【０００７】
本明細書に開示される技術は、例えば、以下の形態として実現することが可能である。
【０００８】
（１）本明細書に開示される画像表示装置は、画像表示装置であって、右眼用画像を、右眼により視認され、かつ、左眼により視認されないように表示し、左眼用画像を、左眼により視認され、かつ、右眼により視認されないように表示する画像表示部と、右眼と左眼との少なくとも一方に、視覚機能低下の症状を模擬的に表す画像領域である症状画像領域を対応付ける症状設定部と、使用者の右眼および左眼の視線方向を検出する視線方向検出部と、前記右眼用画像および前記左眼用画像を前記画像表示部に供給する表示制御部であって、右眼に前記症状画像領域が対応付けられている場合には、検出された右眼の視線方向に対応する位置に前記症状画像領域が配置された画像を前記右眼用画像として供給し、左眼に前記症状画像領域が対応付けられている場合には、検出された左眼の視線方向に対応する位置に前記症状画像領域が配置された画像を前記左眼用画像として供給する表示制御部と、を備える。本画像表示装置によれば、右眼に対応付けられた症状画像領域は、使用者の右眼により、右眼の視線方向に対応する位置に視認され、かつ、左眼によっては視認されず、左眼に対応付けられた症状画像領域は、使用者の左眼により、左眼の視線方向に対応する位置に視認され、かつ、右眼によっては視認されない。そのため、本画像表示装置によれば、使用者に視覚機能低下の症状を仮想的に体験させる際に、使用者の眼の状態を、視覚機能低下の症状を有する状態に極めて近い状態にすることができ、視覚機能低下の症状の模擬の忠実性を向上させることができる。
【０００９】
（２）上記画像表示装置において、前記症状設定部は、右眼と左眼との両方に、互いに独立して設定された前記症状画像領域を対応付ける構成としてもよい。本画像表示装置によれば、右眼と左眼とに個別に生じ得る視覚機能低下の症状を高い忠実性で模擬することができる。
【００１０】
（３）上記画像表示装置において、前記画像表示部は、前記右眼用画像および前記左眼用画像を表示面に表示する表示実行部と、前記使用者の左眼から前記表示面への視線と、前記使用者の右眼から前記表示面への視線とを、所定の周期で交互に遮るシャッター部と、を含み、前記表示制御部は、前記右眼用画像と、前記左眼用画像とを、前記所定の周期に同期した周期で交互に前記画像表示部に供給する構成としてもよい。本画像表示装置によれば、簡易な構成で視覚機能低下の症状の忠実な模擬を実現することができる。
【００１１】
（４）上記画像表示装置において、前記画像表示部は、前記右眼用画像を前記使用者の右眼に視認させる右眼用表示実行部と、前記右眼用表示実行部とは独立して設けられ、前記左眼用画像を前記使用者の左眼に視認させる左眼用表示実行部と、を含むヘッドマウントディスプレイである構成としてもよい。本画像表示装置によれば、使用者の眼の位置と画像の表示位置との関係が固定されるため、視覚機能低下の症状の模擬の忠実性を一層向上させることができると共に、使用者が所望の場所で、かつ、移動することが可能な状況で、視覚機能低下の症状を仮想的に体験することができる。
【００１２】
（５）上記画像表示装置において、さらに、前記視覚機能低下の症状の無い視界を模擬的に表す正常画像を記憶する記憶部を備え、前記表示制御部は、右眼に前記症状画像領域が対応付けられていない場合には、前記正常画像を前記右眼用画像として供給し、右眼に前記症状画像領域が対応付けられている場合には、前記正常画像における検出された右眼の視線方向に対応する位置に前記症状画像領域が配置された画像を前記右眼用画像として供給し、左眼に前記症状画像領域が対応付けられていない場合には、前記正常画像を前記左眼用画像として供給し、左眼に前記症状画像領域が対応付けられている場合には、前記正常画像における検出された左眼の視線方向に対応する位置に前記症状画像領域が配置された画像を前記左眼用画像として供給する構成としてもよい。本画像表示装置によれば、正常画像を適切に設定することにより、視覚機能低下の症状が使用者の行動に与える影響を効率的に検証することができる。
【００１３】
（６）上記画像表示装置において、前記ヘッドマウントディスプレイは、前記右眼用画像および前記左眼用画像を現実の外景に重ねて前記使用者に視認させる光学透過型のヘッドマウントディスプレイであり、前記右眼用画像および前記左眼用画像は、前記症状画像領域のみから構成されている構成としてもよい。本画像表示装置によれば、使用者が視覚機能低下の症状によって現実の外景がどのように視認されるようになるかを仮想的に忠実に模擬することができる。
【００１４】
（７）上記画像表示装置において、前記症状画像領域は、視野欠損を模擬的に表すマスク画像領域である構成としてもよい。本画像表示装置によれば、使用者に緑内障の症状（視野欠損）を仮想的に体験させる際に、使用者の眼の状態を、緑内障の症状を有する状態に極めて近い状態にすることができ、緑内障の症状の模擬の忠実性を向上させることができる。
【００１５】
なお、本明細書に開示される技術は、種々の形態で実現することが可能であり、例えば、画像表示装置、画像表示システム、画像表示装置または画像表示システムの制御方法、それらの方法を実現するコンピュータプログラム、そのコンピュータプログラムを記録した一時的でない記録媒体等の形態で実現することができる。
【図面の簡単な説明】
【００１６】
【図１】第１実施形態における画像表示装置としてのドライビングシミュレータ１００の概略構成を示す説明図である。
【図２】ドライビングシミュレータ１００の概略構成を示すブロック図である。
【図３】視覚機能低下模擬モードにおけるドライビングシミュレータ１００の制御処理の流れを示すフローチャートである。
【図４】視覚機能低下模擬モードにおけるドライビングシミュレータ１００の制御処理の実行中に使用者ＵＳに視認される画像の一例を示す説明図である。
【図５】視覚機能低下模擬モードにおけるドライビングシミュレータ１００の制御処理の実行中に使用者ＵＳに視認される画像の一例を示す説明図である。
【図６】第２実施形態における画像表示装置としての頭部装着型画像表示装置（ＨＭＤ）２００の概略構成を示すブロック図である。
【図７】視覚機能低下模擬モードにおけるＨＭＤ２００の制御処理の流れを示すフローチャートである。
【図８】視覚機能低下模擬モードにおけるＨＭＤ２００の制御処理の実行中に使用者ＵＳに視認される視野ＦＯＶの一例を示す説明図である。
【図９】視覚機能低下模擬モードにおけるＨＭＤ２００の制御処理の実行中に使用者ＵＳに視認される視野ＦＯＶの一例を示す説明図である。
【発明を実施するための形態】
【００１７】
Ａ．第１実施形態：
視覚機能低下の１つである緑内障（視野欠損）は、例えば自動車の運転時において、進行方向の障害物の見落としにつながる可能性がある。その評価や対応策の検討のために、本明細書に開示される技術を用いた例（本技術をドライビングシミュレータ１００に適用した例）を以下に説明する。
【００１８】
Ａ−１．ドライビングシミュレータ１００の構成：
図１は、第１実施形態における画像表示装置としてのドライビングシミュレータ１００の概略構成を示す説明図であり、図２は、ドライビングシミュレータ１００の概略構成を示すブロック図である。ドライビングシミュレータ１００は、画像や音声を利用して、使用者（運転者）ＵＳに、自動車の運転を仮想的に体験させる装置である。
【００１９】
図１および図２に示すように、ドライビングシミュレータ１００は、スクリーン１４４と、プロジェクタ１４２と、スピーカ１４６と、ステアリングホイール１５２と、１つまたは複数のペダル１５４と、眼球向き検出装置１７０と、頭部装着装置１６０と、パーソナルコンピュータ（以下、「ＰＣ」という）１１０とを備える。これらドライビングシミュレータ１００を構成する各部は、有線または無線のネットワーク等を介して互いに通信可能に接続されている。
【００２０】
スクリーン１４４は、自動車を模した筐体１０４内に設置された運転席１０２の前方や側方等に設置されている表示面である。プロジェクタ１４２は、スクリーン１４４の前面からスクリーン１４４に向けて画像を表す画像光を投写する装置である。プロジェクタ１４２が画像光を投写することにより、スクリーン１４４上に画像が表示される。スクリーン１４４上に表示される画像としては、仮想的なコース上の各位置における使用者ＵＳの視界（車窓からの風景）を模擬的に表す画像（以下、「風景画像ＳＩ」という）等が用いられる（図４等参照）。
【００２１】
スピーカ１４６は、音声を出力する装置である。スピーカ１４６から出力される音声としては、自動車の走行音を模した音声等が用いられる。
【００２２】
ステアリングホイール１５２およびペダル１５４は、実際の自動車のステアリングホイールおよびペダル（アクセルペダルやブレーキペダル等）を模した装置であり、運転席１０２に着座した使用者ＵＳによる模擬運転操作を受け付ける。
【００２３】
眼球向き検出装置１７０は、ビデオカメラを備えており、筐体１０４における運転席１０２に着座した使用者ＵＳの顔を撮像可能な位置に固定されている。眼球向き検出装置１７０は、ビデオカメラにより生成された画像を解析することによって、使用者ＵＳの右眼ＲＥおよび左眼ＬＥの向きを検出する。なお、ドライビングシミュレータ１００に右眼用と左眼用の２つの眼球向き検出装置１７０が用意されてもよいし、１つの眼球向き検出装置１７０によって右眼ＲＥと左眼ＬＥの両方の向きを検出するものとしてもよい。
【００２４】
頭部装着装置１６０は、使用者ＵＳの頭部に装着されるメガネ型の装置であり、頭部位置検出部１６４と、シャッター部１６２とを含む。頭部位置検出部１６４は、複数のセンサを含み、使用者ＵＳの頭部の位置を検出する。頭部位置検出部１６４によって使用者ＵＳの頭部の位置が検出されると、使用者ＵＳの右眼ＲＥおよび左眼ＬＥの位置が特定される。また、特定された右眼ＲＥおよび左眼ＬＥの位置と、眼球向き検出装置１７０によって検出された使用者ＵＳの右眼ＲＥおよび左眼ＬＥの向きとにより、右眼ＲＥおよび左眼ＬＥの視線方向（画像表示面（スクリーン１４４）と視線方向との関係）を検出することができる。すなわち、眼球向き検出装置１７０と頭部装着装置１６０の頭部位置検出部１６４とは、使用者ＵＳの右眼ＲＥおよび左眼ＬＥの視線方向を検出する視線方向検出部として機能する。
【００２５】
頭部装着装置１６０のシャッター部１６２は、例えば液晶シャッターにより構成された右眼用シャッターおよび左眼用シャッターを含む。シャッター部１６２は、設定された周期（例えば、１／６０秒の周期）で交互開閉動作を行う。交互開閉動作は、右眼用シャッターが開かれ左眼用シャッターが閉じられた状態（以下、「右眼開状態」という）と、右眼用シャッターが閉じられ左眼用シャッターが開かれた状態（以下、「左眼開状態」という）との切替を行う動作である。なお、上記２つの状態の切替の際に、右眼用シャッターも左眼用シャッターも閉じられた状態や、右眼用シャッターも左眼用シャッターも開かれた状態が経由されるとしてもよい。
【００２６】
シャッター部１６２が右眼開状態のときには、プロジェクタ１４２によってスクリーン１４４上に表示された画像は、使用者ＵＳの右眼ＲＥにより視認されるが、使用者ＵＳの左眼ＬＥからスクリーン１４４への視線は遮られているため、該画像は、使用者ＵＳの左眼ＬＥによっては視認されない。反対に、シャッター部１６２が左眼開状態のときには、プロジェクタ１４２によってスクリーン１４４上に表示された画像は、使用者ＵＳの左眼ＬＥにより視認されるが、使用者ＵＳの右眼ＲＥからスクリーン１４４への視線は遮られているため、該画像は、使用者ＵＳの右眼ＲＥによっては視認されない。このように、シャッター部１６２と、プロジェクタ１４２およびスクリーン１４４とは、右眼ＲＥに視認されるべき画像（以下、右眼用表示画像ＤＩ（ｒ）という）を、右眼ＲＥにより視認され、かつ、左眼ＬＥにより視認されないように表示し、左眼ＬＥに視認されるべき画像（以下、左眼用表示画像ＤＩ（ｌ）という）を、左眼ＬＥにより視認され、かつ、右眼ＲＥにより視認されないように表示する画像表示部として機能する。
【００２７】
ＰＣ１１０は、ドライビングシミュレータ１００の各部の動作を制御する装置であり、制御部１１１と、記憶部１１６と、操作部１１８とを備える。操作部１１８は、例えばキーボードやマウスを含み、管理者による各種の指示を受け付ける。
【００２８】
ＰＣ１１０の記憶部１１６は、例えばＲＯＭやＲＡＭ等により構成されており、各種のデータやプログラムを記憶したり、各種のプログラムを実行する際の作業領域やデータの一時的な記憶領域として利用されたりする。例えば、記憶部１１６には、上述した風景画像ＳＩを表す風景画像データＳＩｄや、後述するマスク画像ＭＩを表すマスク画像データＭＩｄが記憶されている。
【００２９】
ＰＣ１１０の制御部１１１は、例えばＣＰＵにより構成されており、記憶部１１６から読み出したプログラムを実行することにより、ドライビングシミュレータ１００の各部の動作を制御する。例えば、制御部１１１は、症状設定部１１２および表示制御部１１４として機能する。これら各部の機能については、後述する。
【００３０】
ＰＣ１１０の制御部１１１は、例えば、ステアリングホイール１５２の状態（操舵角）やペダル１５４の状態（踏み込み量）に基づき、上述した仮想的なコース上における自動車の位置や向きを特定し、特定された位置や向きに対応付けられた風景画像ＳＩを表す風景画像データＳＩｄを記憶部１１６から読み出してプロジェクタ１４２に供給する。これにより、使用者ＵＳによるステアリングホイール１５２やペダル１５４の操作に対応した風景画像ＳＩが、プロジェクタ１４２によってスクリーン１４４上に表示される。また、制御部１１１は、ステアリングホイール１５２の状態やペダル１５４の状態に基づき、自動車の速度や加速度等を特定し、特定された速度や加速度等に対応付けられた音声を表す音声データを記憶部１１６から読み出してスピーカ１４６に供給する。これにより、使用者ＵＳによるステアリングホイール１５２やペダル１５４の操作に対応した走行音等がスピーカ１４６から出力される。このような制御部１１１によるドライビングシミュレータ１００の制御が行われることにより、使用者ＵＳは、自動車を運転している状況を仮想的に体験することができる。
【００３１】
また、ＰＣ１１０の制御部１１１は、操作部１１８を介した管理者の指示に従い、ドライビングシミュレータ１００を視覚機能低下模擬モードで動作させる処理を実行することができる。視覚機能低下模擬モードは、使用者ＵＳに、視覚機能低下の症状（本実施形態では緑内障による視野欠損）を有した状態での自動車の運転を仮想的に体験させるモードである。視覚機能低下模擬モードは、例えば、視覚機能低下の症状が自動車の運転操作に与える影響を検証するため等に利用される。以下、視覚機能低下模擬モードにおけるドライビングシミュレータ１００の制御処理について詳述する。
【００３２】
Ａ−２．視覚機能低下模擬モードにおけるドライビングシミュレータ１００の制御処理：
図３は、視覚機能低下模擬モードにおけるドライビングシミュレータ１００の制御処理の流れを示すフローチャートである。また、図４および図５は、視覚機能低下模擬モードにおけるドライビングシミュレータ１００の制御処理の実行中に使用者ＵＳに視認される画像の一例を示す説明図である。
【００３３】
はじめに、ＰＣ１１０の症状設定部１１２（図２）は、右眼ＲＥおよび左眼ＬＥに、緑内障（視野欠損）の症状を模擬的に表す画像領域であるマスク画像ＭＩを対応付ける（Ｓ１１０）。図４に示すように、本実施形態では、マスク画像ＭＩは、視野欠損を表す黒色の画像領域である。マスク画像ＭＩは、特許請求の範囲における症状画像領域に相当する。
【００３４】
ここで、一般に、緑内障の症状は、右眼ＲＥと左眼ＬＥとの一方または両方に個別に生ずるため、視野欠損部分の位置や形状は、右眼ＲＥと左眼ＬＥとで互いに異なり得る。そのため本実施形態では、右眼ＲＥおよび左眼ＬＥのそれぞれに、互いに独立して設定されたマスク画像ＭＩが対応付けられる。図４の上段右側には、左眼ＬＥに対応付けられた左眼用マスク画像ＭＩ（ｌ）の一例が示されており、図４の下段右側には、右眼ＲＥに対応付けられた右眼用マスク画像ＭＩ（ｒ）の一例が示されている。上述したように、ＰＣ１１０の記憶部１１６には、マスク画像ＭＩを表すマスク画像データＭＩｄが記憶されている。症状設定部１１２は、操作部１１８を介した管理者からの指示に従い、右眼ＲＥおよび左眼ＬＥのそれぞれに、マスク画像データＭＩｄの表すマスク画像ＭＩの内の１つを対応付ける。
【００３５】
次に、ＰＣ１１０の表示制御部１１４は、頭部装着装置１６０のシャッター部１６２に、交互開閉動作を開始させる（Ｓ１２０）。上述したように、交互開閉動作は、設定された周期（例えば、１／６０秒の周期）で、右眼開状態と左眼開状態との切替を行う動作である。
【００３６】
次に、ＰＣ１１０の表示制御部１１４は、表示対象眼ＯＥを設定する（Ｓ１３０）。表示対象眼ＯＥは、使用者ＵＳの右眼ＲＥおよび左眼ＬＥの内、画像（右眼用表示画像ＤＩ（ｒ）または左眼用表示画像ＤＩ（ｌ））を視認させる方の眼である。表示制御部１１４は、シャッター部１６２の交互開閉動作において最初に開状態になる側の眼を、表示対象眼ＯＥとして設定する。
【００３７】
次に、ＰＣ１１０の表示制御部１１４は、ステアリングホイール１５２およびペダル１５４の状態を検出し、検出された状態に基づき自動車の位置や向きを特定し、特定された位置や向きに対応付けられた風景画像ＳＩを表す風景画像データＳＩｄを記憶部１１６から読み出す（Ｓ１４０）。なお、風景画像ＳＩは、緑内障の症状の無い視界を模擬的に表す画像であり、特許請求の範囲における正常画像に相当する。
【００３８】
次に、ＰＣ１１０の表示制御部１１４は、眼球向き検出装置１７０および頭部装着装置１６０の頭部位置検出部１６４からの信号に基づき、上述したように、表示対象眼ＯＥの視線方向を特定する（Ｓ１５０）。
【００３９】
次に、ＰＣ１１０の表示制御部１１４は、風景画像ＳＩ上に表示対象眼ＯＥ用のマスク画像ＭＩを配置した（すなわち、風景画像ＳＩとマスク画像ＭＩとを合成した）表示対象眼ＯＥ用の表示画像ＤＩを生成する（Ｓ１６０）。このとき、表示制御部１１４は、表示対象眼ＯＥ用のマスク画像ＭＩを、風景画像ＳＩ上における表示対象眼ＯＥの視線方向に対応する位置に配置する。例えば、表示制御部１１４は、表示対象眼ＯＥの視線方向が予め設定された基準方向（例えば正面方向）に一致する場合には、風景画像ＳＩ上における予め設定された基準位置にマスク画像ＭＩを配置し、表示対象眼ＯＥの視線方向が基準方向から右方向にずれている場合には、風景画像ＳＩ上における基準位置から右方向にずれた位置にマスク画像ＭＩを配置し、表示対象眼ＯＥの視線方向が基準方向から左方向にずれている場合には、風景画像ＳＩ上における基準位置から左方向にずれた位置にマスク画像ＭＩを配置する。上方向および下方向についても同様である。
【００４０】
例えば、図４の上段には、表示対象眼ＯＥである左眼ＬＥの視線方向が基準方向（正面方向）である場合の左眼用表示画像ＤＩ（ｌ）の一例が示されており、図５の上段には、表示対象眼ＯＥである左眼ＬＥの視線方向が基準方向から左方向にずれている場合の左眼用表示画像ＤＩ（ｌ）の一例が示されている。図５の上段に示された左眼用表示画像ＤＩ（ｌ）における左眼用マスク画像ＭＩ（ｌ）の位置は、図４の上段に示された左眼用表示画像ＤＩ（ｌ）における左眼用マスク画像ＭＩ（ｌ）の位置と比べて、向かって左方向にずれている。同様に、図４の下段には、表示対象眼ＯＥである右眼ＲＥの視線方向が基準方向（正面方向）である場合の右眼用表示画像ＤＩ（ｒ）の一例が示されており、図５の下段には、表示対象眼ＯＥである右眼ＲＥの視線方向が基準方向から左方向にずれている場合の右眼用表示画像ＤＩ（ｒ）の一例が示されている。図５の下段に示された右眼用表示画像ＤＩ（ｒ）における右眼用マスク画像ＭＩ（ｒ）の位置は、図４の下段に示された右眼用表示画像ＤＩ（ｒ）における右眼用マスク画像ＭＩ（ｒ）の位置と比べて、向かって左方向にずれている。
【００４１】
なお、ＰＣ１１０の記憶部１１６には、表示対象眼ＯＥの視線方向と表示対象眼ＯＥ用のマスク画像ＭＩの位置との関係を規定する情報が記憶されており、表示制御部１１４は、該情報を参照して表示対象眼ＯＥ用のマスク画像ＭＩの位置を決定する。表示対象眼ＯＥの視線方向と表示対象眼ＯＥ用のマスク画像ＭＩの位置との上記関係は、例えば実験的に定められる。また、マスク画像ＭＩの位置と画像表示可能領域の大きさ（例えばスクリーン１４４の大きさ）等の関係によっては、マスク画像ＭＩの一部が表示されないことがある。
【００４２】
次に、ＰＣ１１０の表示制御部１１４は、頭部装着装置１６０のシャッター部１６２が、表示対象眼ＯＥが開状態である状態（表示対象眼開状態）になるのを待ち（Ｓ１７０）、シャッター部１６２が表示対象眼開状態になると（Ｓ１７０：ＹＥＳ）、生成された表示画像ＤＩ（左眼用表示画像ＤＩ（ｌ）または右眼用表示画像ＤＩ（ｒ））を表す画像データをプロジェクタ１４２に供給する（Ｓ１８０）。これにより、プロジェクタ１４２が表示画像ＤＩを表す画像光を投写し、スクリーン１４４上に表示画像ＤＩが表示され、表示された表示画像ＤＩが表示対象眼開状態であるシャッター部１６２を介して使用者ＵＳの表示対象眼ＯＥにより視認される。このとき、表示対象眼開状態であるシャッター部１６２により、使用者ＵＳの表示対象眼ＯＥとは反対側の眼からスクリーン１４４への視線は遮られているため、スクリーン１４４上に表示された表示画像ＤＩは該反対側の眼によっては視認されない。
【００４３】
例えば、表示対象眼ＯＥが左眼ＬＥである場合には、図４の上段および図５の上段に示すように、表示対象眼ＯＥである左眼ＬＥ用の表示画像ＤＩ（左眼用表示画像ＤＩ（ｌ））がスクリーン１４４上に表示され、シャッター部１６２が左眼開状態である状態となる。この状態では、左眼用マスク画像ＭＩ（ｌ）を含む左眼用表示画像ＤＩ（ｌ）は、表示対象眼ＯＥである左眼ＬＥにより視認され、右眼ＲＥによっては視認されない。
【００４４】
次に、ＰＣ１１０の表示制御部１１４は、操作部１１８を介して管理者からの終了指示が取得されたか否かを判定し（Ｓ１９０）、終了指示が取得されていないと判定した場合には（Ｓ１９０：ＮＯ）、表示対象眼ＯＥを切り替える（Ｓ１９２）。例えば、これまで表示対象眼ＯＥが左眼ＬＥであった場合には、表示制御部１１４は、表示対象眼ＯＥを右眼ＲＥに切り替える。
【００４５】
その後、新たに設定された表示対象眼ＯＥについて、上述したＳ１４０以降の処理が同様に実行される。例えば、Ｓ１９２において表示対象眼ＯＥが左眼ＬＥから右眼ＲＥに切り替えられた後には、その時点でのステアリングホイール１５２およびペダル１５４の状態に応じた風景画像ＳＩが読み出され（Ｓ１４０）、表示対象眼ＯＥである右眼ＲＥの視線方向が特定され（Ｓ１５０）、風景画像ＳＩ上における右眼ＲＥの視線方向に対応する位置に右眼用マスク画像ＭＩ（ｒ）が配置された右眼用表示画像ＤＩ（ｒ）が生成され（Ｓ１６０）、シャッター部１６２が右眼開状態になるのを待って（Ｓ１７０）、右眼用表示画像ＤＩ（ｒ）を表す画像データがプロジェクタ１４２に供給される（Ｓ１８０）。これにより、例えば、図４の下段および図５の下段に示すように、表示対象眼ＯＥである右眼ＲＥ用の表示画像ＤＩ（右眼用表示画像ＤＩ（ｒ））がスクリーン１４４上に表示され、シャッター部１６２が右眼開状態となる。この状態では、右眼用マスク画像ＭＩ（ｒ）を含む右眼用表示画像ＤＩ（ｒ）が、表示対象眼ＯＥである右眼ＲＥにより視認され、左眼ＬＥによっては視認されない。
【００４６】
このように、視覚機能低下模擬モードにおけるドライビングシミュレータ１００の制御処理では、シャッター部１６２の交互開閉動作の周期に同期した周期で、プロジェクタ１４２によりスクリーン１４４上に左眼用表示画像ＤＩ（ｌ）と右眼用表示画像ＤＩ（ｒ）とが交互に表示される。このような動作が繰り返し実行されているときに、操作部１１８を介して管理者からの終了指示が取得されると（Ｓ１９０：ＹＥＳ）、制御部１１１は制御処理を終了する。
【００４７】
Ａ−３．第１実施形態の効果：
以上説明したように、本実施形態のドライビングシミュレータ１００では、視覚機能低下模擬モードにおいて、症状設定部１１２が、右眼ＲＥおよび左眼ＬＥに視覚機能低下の症状を模擬的に表す画像領域であるマスク画像ＭＩを対応付け、頭部位置検出部１６４および眼球向き検出装置１７０が、使用者ＵＳの右眼ＲＥおよび左眼ＬＥの視線方向を検出し、表示制御部１１４が、検出された右眼ＲＥの視線方向に対応する位置に右眼用マスク画像ＭＩ（ｒ）が配置された右眼用表示画像ＤＩ（ｒ）をプロジェクタ１４２に供給すると共に、検出された左眼ＬＥの視線方向に対応する位置に左眼用マスク画像ＭＩ（ｌ）が配置された左眼用表示画像ＤＩ（ｌ）をプロジェクタ１４２に供給することにより、プロジェクタ１４２、スクリーン１４４およびシャッター部１６２が、右眼用表示画像ＤＩ（ｒ）を、右眼ＲＥにより視認され、かつ、左眼ＬＥにより視認されないように表示し、左眼用表示画像ＤＩ（ｌ）を、左眼ＬＥにより視認され、かつ、右眼ＲＥにより視認されないように表示する。すなわち、本実施形態のドライビングシミュレータ１００によれば、右眼用マスク画像ＭＩ（ｒ）は、使用者ＵＳの右眼ＲＥにより、右眼ＲＥの視線方向に対応する位置に視認され、かつ、左眼ＬＥによっては視認されず、左眼用マスク画像ＭＩ（ｌ）は、使用者ＵＳの左眼ＬＥにより、左眼ＬＥの視線方向に対応する位置に視認され、かつ、右眼ＲＥによっては視認されない。そのため、本実施形態のドライビングシミュレータ１００によれば、使用者ＵＳに緑内障の症状（視野欠損）を仮想的に体験させる際に、使用者ＵＳの右眼ＲＥおよび左眼ＬＥの状態を、緑内障を罹患した状態に極めて近い状態にすることができ、緑内障の症状の模擬の忠実性を向上させることができる。
【００４８】
また、本実施形態のドライビングシミュレータ１００では、ＰＣ１１０の症状設定部１１２は、右眼ＲＥと左眼ＬＥとの両方に、互いに独立して設定されたマスク画像ＭＩを対応付けるため、右眼ＲＥと左眼ＬＥとに個別に生じ得る緑内障の症状を高い忠実性で模擬することができる。
【００４９】
また、本実施形態のドライビングシミュレータ１００は、右眼用表示画像ＤＩ（ｒ）および左眼用表示画像ＤＩ（ｌ）をスクリーン１４４に表示するプロジェクタ１４２と、使用者ＵＳの左眼ＬＥからスクリーン１４４への視線と、使用者ＵＳの右眼ＲＥからスクリーン１４４への視線とを、所定の周期で交互に遮るシャッター部１６２とを備え、表示制御部１１４は、右眼用表示画像ＤＩ（ｒ）と左眼用表示画像ＤＩ（ｌ）とを、シャッター部１６２の動作周期に同期した周期で交互にプロジェクタ１４２に供給する。そのため、本実施形態のドライビングシミュレータ１００によれば、簡易な構成で緑内障の症状の忠実な模擬を実現することができる。
【００５０】
また、本実施形態のドライビングシミュレータ１００では、ＰＣ１１０の記憶部１１６は、緑内障の症状の無い使用者ＵＳの視界を模擬的に表す風景画像ＳＩを記憶しており、表示制御部１１４は、風景画像ＳＩにおける右眼ＲＥの視線方向に対応する位置に右眼用マスク画像ＭＩ（ｒ）が配置された画像を右眼用表示画像ＤＩ（ｒ）として供給し、風景画像ＳＩにおける左眼ＬＥの視線方向に対応する位置に左眼用マスク画像ＭＩ（ｌ）が配置された画像を左眼用表示画像ＤＩ（ｌ）として供給する。そのため、本実施形態のドライビングシミュレータ１００によれば、風景画像ＳＩを適切に設定することにより、緑内障の症状が使用者の行動に与える影響（例えば、自動車の運転操作に与える影響等）を効率的に検証することができる。
【００５１】
Ｂ．第２実施形態：
Ｂ−１．頭部装着型画像表示装置（ＨＭＤ）２００の構成：
図６は、第２実施形態における画像表示装置としての頭部装着型画像表示装置（Ｈｅａｄ  Ｍｏｕｎｔｅｄ  Ｄｉｓｐｌａｙ、以下「ＨＭＤ」という）２００の概略構成を示すブロック図である。ＨＭＤ２００は、使用者ＵＳの頭部に装着された状態で、使用者ＵＳに画像（虚像）を視認させるメガネ型の装置である。本実施形態のＨＭＤ２００は、画像を現実の外景に重ねて使用者ＵＳに視認させる光学透過型のヘッドマウントディスプレイである。
【００５２】
ＨＭＤ２００は、右眼用表示実行部２４２と、左眼用表示実行部２４４と、イヤホン２４６と、眼球向き検出部２７０と、制御部２１１と、記憶部２１６と、操作部２１８とを備える。イヤホン２４６は、使用者ＵＳの耳に装着され、音声を出力するデバイスである。
【００５３】
右眼用表示実行部２４２は、例えば、液晶ディスプレイ等の表示素子と、光学系とを備えており、右眼用表示画像ＤＩ（ｒ）を表す画像光を生成して使用者ＵＳの右眼ＲＥに導くことにより、使用者ＵＳの右眼ＲＥに右眼用表示画像ＤＩ（ｒ）を視認させる。また、左眼用表示実行部２４４は、右眼用表示実行部２４２と同様に、例えば、液晶ディスプレイ等の表示素子と、光学系とを備えており、左眼用表示画像ＤＩ（ｌ）を表す画像光を生成して使用者ＵＳの左眼ＬＥに導くことにより、使用者ＵＳの左眼ＬＥに左眼用表示画像ＤＩ（ｌ）を視認させる。このように、ＨＭＤ２００には、右眼用表示実行部２４２と左眼用表示実行部２４４とが互いに独立して設けられており、右眼用表示実行部２４２により生成された右眼用表示画像ＤＩ（ｒ）は使用者ＵＳの左眼ＬＥによっては視認されず、左眼用表示実行部２４４により生成された左眼用表示画像ＤＩ（ｌ）は使用者ＵＳの右眼ＲＥによっては視認されない。右眼用表示実行部２４２と左眼用表示実行部２４４とは、特許請求の範囲における画像表示部に相当する。
【００５４】
眼球向き検出部２７０は、ビデオカメラを備えており、使用者ＵＳの右眼ＲＥおよび左眼ＬＥを撮像可能な位置に固定されている。眼球向き検出部２７０は、ビデオカメラにより生成された画像を解析することによって、使用者ＵＳの右眼ＲＥおよび左眼ＬＥの視線方向（画像表示面と視線方向との関係）を検出する。なお、ＨＭＤ２００に右眼用と左眼用の２つの眼球向き検出部２７０が用意されてもよいし、１つの眼球向き検出部２７０によって右眼と左眼の両方の視線方向を検出するものとしてもよい。
【００５５】
操作部２１８は、例えばボタンや等を含み、使用者ＵＳによる各種の指示を受け付ける。なお、操作部２１８は、頭部に装着されるメガネ型の筐体の内部に配置されてもよいし、頭部に装着されるメガネ型の筐体に対して信号線を介して接続された別体として構成されてもよい。
【００５６】
記憶部２１６は、例えばＲＯＭやＲＡＭ等により構成されており、各種のデータやプログラムを記憶したり、各種のプログラムを実行する際の作業領域やデータの一時的な記憶領域として利用されたりする。例えば、記憶部２１６には、第１実施形態と同様のマスク画像ＭＩを表すマスク画像データＭＩｄが記憶されている。
【００５７】
制御部２１１は、例えばＣＰＵにより構成されており、記憶部２１６から読み出したプログラムを実行することにより、２００の各部の動作を制御する。例えば、制御部２１１は、症状設定部２１２および表示制御部２１４として機能する。これら各部の機能については、後述する。
【００５８】
制御部２１１は、例えば、映画やＷｅｂサイト、ゲーム画面等の画像を表す画像データを記憶部２１６から読み出して、右眼用表示実行部２４２および左眼用表示実行部２４４に供給する。これにより、使用者ＵＳの右眼ＲＥに右眼用表示画像ＤＩ（ｒ）が視認され、使用者ＵＳの左眼ＬＥに左眼用表示画像ＤＩ（ｌ）が視認される。
【００５９】
また、制御部２１１は、操作部２１８を介した使用者ＵＳの指示に従い、ＨＭＤ２００を視覚機能低下模擬モードで動作させる処理を実行することができる。視覚機能低下模擬モードは、使用者ＵＳに、視覚機能低下の症状（本実施形態では緑内障による視野欠損）を有した状態を仮想的に体験させるモードである。視覚機能低下模擬モードは、例えば、視覚機能低下の症状が使用者ＵＳの知覚や行動に与える影響を研究するため等に利用される。以下、視覚機能低下模擬モードにおけるＨＭＤ２００の制御処理について詳述する。
【００６０】
Ｂ−２．視覚機能低下模擬モードにおけるＨＭＤ２００の制御処理：
図７は、視覚機能低下模擬モードにおけるＨＭＤ２００の制御処理の流れを示すフローチャートである。また、図８および図９は、視覚機能低下模擬モードにおけるＨＭＤ２００の制御処理の実行中に使用者ＵＳに視認される視野ＦＯＶの一例を示す説明図である。
【００６１】
はじめに、制御部２１１の症状設定部２１２（図６）は、右眼ＲＥおよび左眼ＬＥにマスク画像ＭＩを対応付ける（Ｓ２１０）。Ｓ２１０の処理内容は、第１実施形態の制御処理（図３）におけるＳ１１０の処理内容と同様であるため、説明を省略する。図８の上段右側には、左眼ＬＥに対応付けられた左眼用マスク画像ＭＩ（ｌ）の一例が示されており、図８の下段右側には、右眼ＲＥに対応付けられた右眼用マスク画像ＭＩ（ｒ）の一例が示されている。
【００６２】
次に、制御部２１１の表示制御部２１４は、眼球向き検出部２７０からの信号に基づき、上述したように、右眼ＲＥおよび左眼ＬＥの視線方向を特定する（Ｓ２５０）。
【００６３】
次に、表示制御部２１４は、マスク画像ＭＩのみから構成された表示画像ＤＩ（右眼用表示画像ＤＩ（ｒ）および左眼用表示画像ＤＩ（ｌ））を生成する（Ｓ２６０）。ここで、マスク画像ＭＩのみから構成された表示画像ＤＩとは、液晶ディスプレイ等の表示素子の表示可能領域における一部の領域にマスク画像ＭＩが配置され、残りの一部には画像が配置されない（すなわち、表示素子から画像光が出力されない）画像である。また、表示制御部２１４は、右眼用表示画像ＤＩ（ｒ）において、右眼用マスク画像ＭＩ（ｒ）を右眼ＲＥの視線方向に対応する位置に配置し、左眼用表示画像ＤＩ（ｌ）において、左眼用マスク画像ＭＩ（ｌ）を左眼ＬＥの視線方向に対応する位置に配置する。
【００６４】
例えば、図８の上段には、左眼ＬＥの視線方向が基準方向（正面方向）である場合の左眼用表示画像ＤＩ（ｌ）の一例が示されており、図９の上段には、左眼ＬＥの視線方向が基準方向から左方向にずれている場合の左眼用表示画像ＤＩ（ｌ）の一例が示されている。図９の上段に示された左眼用表示画像ＤＩ（ｌ）、すなわち、左眼用マスク画像ＭＩ（ｌ）の位置は、図８の上段に示された左眼用表示画像ＤＩ（ｌ）、すなわち、左眼用マスク画像ＭＩ（ｌ）の位置と比べて、向かって左方向にずれている。同様に、図８の下段には、右眼ＲＥの視線方向が基準方向（正面方向）である場合の右眼用表示画像ＤＩ（ｒ）の一例が示されており、図９の下段には、右眼ＲＥの視線方向が基準方向から左方向にずれている場合の右眼用表示画像ＤＩ（ｒ）の一例が示されている。図９の下段に示された右眼用表示画像ＤＩ（ｒ）、すなわち、右眼用マスク画像ＭＩ（ｒ）の位置は、図８の下段に示された右眼用表示画像ＤＩ（ｒ）、すなわち、右眼用マスク画像ＭＩ（ｒ）の位置と比べて、向かって左方向にずれている。
【００６５】
次に、表示制御部２１４は、生成された右眼用表示画像ＤＩ（ｒ）および左眼用表示画像ＤＩ（ｌ）を表す画像データを、それぞれ、右眼用表示実行部２４２および左眼用表示実行部２４４に供給する（Ｓ２８０）。これにより、図８の上段および図９の上段に示すように、使用者ＵＳの左眼ＬＥに、左眼用マスク画像ＭＩ（ｌ）のみから構成された左眼用表示画像ＤＩ（ｌ）が視認される。また、図８の下段および図９の下段に示すように、使用者ＵＳの右眼ＲＥに、右眼用マスク画像ＭＩ（ｒ）のみから構成された右眼用表示画像ＤＩ（ｒ）が視認される。なお、右眼ＲＥおよび左眼ＬＥについて、使用者ＵＳの視野ＦＯＶの内、表示画像ＤＩが視認されない領域には、光学透過型のＨＭＤ２００を介して現実の外景ＲＳが視認される。
【００６６】
次に、表示制御部２１４は、操作部２１８を介して使用者ＵＳからの終了指示が取得されたか否かを判定し（Ｓ２９０）、終了指示が取得されていないと判定した場合には（Ｓ２９０：ＮＯ）、上述したＳ２５０以降の処理を同様に実行する。このような動作が繰り返し実行されているときに、操作部２１８を介して使用者ＵＳからの終了指示が取得されると（Ｓ２９０：ＹＥＳ）、制御部２１１は制御処理を終了する。
【００６７】
Ｂ−３．第２実施形態の効果：
以上説明したように、本実施形態のＨＭＤ２００では、視覚機能低下模擬モードにおいて、症状設定部２１２が、右眼ＲＥおよび左眼ＬＥに視覚機能低下の症状を模擬的に表す画像領域であるマスク画像ＭＩを対応付け、眼球向き検出部２７０が、使用者ＵＳの右眼ＲＥおよび左眼ＬＥの視線方向を検出し、表示制御部２１４が、検出された右眼ＲＥの視線方向に対応する位置に右眼用マスク画像ＭＩ（ｒ）が配置された右眼用表示画像ＤＩ（ｒ）を右眼用表示実行部２４２に供給すると共に、検出された左眼ＬＥの視線方向に対応する位置に左眼用マスク画像ＭＩ（ｌ）が配置された左眼用表示画像ＤＩ（ｌ）を左眼用表示実行部２４４に供給することにより、右眼用表示実行部２４２および左眼用表示実行部２４４が、右眼用表示画像ＤＩ（ｒ）を、右眼ＲＥにより視認され、かつ、左眼ＬＥにより視認されないように表示し、左眼用表示画像ＤＩ（ｌ）を、左眼ＬＥにより視認され、かつ、右眼ＲＥにより視認されないように表示する。すなわち、本実施形態のＨＭＤ２００によれば、右眼用マスク画像ＭＩ（ｒ）は、使用者ＵＳの右眼ＲＥにより、右眼ＲＥの視線方向に対応する位置に視認され、かつ、左眼ＬＥによっては視認されず、左眼用マスク画像ＭＩ（ｌ）は、使用者ＵＳの左眼ＬＥにより、左眼ＬＥの視線方向に対応する位置に視認され、かつ、右眼ＲＥによっては視認されない。そのため、本実施形態のＨＭＤ２００によれば、使用者ＵＳに緑内障の症状（視野欠損）を仮想的に体験させる際に、使用者ＵＳの右眼ＲＥおよび左眼ＬＥの状態を、緑内障を罹患した状態に極めて近い状態にすることができ、緑内障の症状の模擬の忠実性を向上させることができる。
【００６８】
また、本実施形態のＨＭＤ２００では、症状設定部２１２は、右眼ＲＥと左眼ＬＥとの両方に、互いに独立して設定されたマスク画像ＭＩを対応付けるため、右眼ＲＥと左眼ＬＥとに個別に生じ得る緑内障の症状を高い忠実性で模擬することができる。
【００６９】
また、本実施形態のＨＭＤ２００は、右眼用表示画像ＤＩ（ｒ）を使用者ＵＳの右眼ＲＥに視認させる右眼用表示実行部２４２と、右眼用表示実行部２４２とは独立して設けられ、左眼用表示画像ＤＩ（ｌ）を使用者ＵＳの左眼ＬＥに視認させる左眼用表示実行部２４４とを備えるヘッドマウントディスプレイである。そのため、本実施形態のＨＭＤ２００によれば、使用者ＵＳの眼の位置と画像の表示位置との関係が固定されるため、緑内障の症状の模擬の忠実性を一層向上させることができると共に、使用者ＵＳが所望の場所で、かつ、移動することが可能な状況で、緑内障の症状を仮想的に体験することができる。
【００７０】
また、本実施形態のＨＭＤ２００は、画像を現実の外景ＲＳに重ねて使用者ＵＳに視認させる光学透過型のヘッドマウントディスプレイであり、表示画像ＤＩ（右眼用表示画像ＤＩ（ｒ）および左眼用表示画像ＤＩ（ｌ））はマスク画像ＭＩのみから構成されている。そのため、本実施形態のＨＭＤ２００によれば、使用者ＵＳが視野欠損によって現実の外景ＲＳがどのように視認されるようになるかを仮想的に忠実に模擬することができる。
【００７１】
Ｃ．変形例：
本明細書で開示される技術は、上述の実施形態に限られるものではなく、その要旨を逸脱しない範囲において種々の形態に変形することができ、例えば次のような変形も可能である。
【００７２】
上記第１実施形態におけるドライビングシミュレータ１００の構成は、あくまで一例であり、種々変形可能である。例えば、上記第１実施形態では、ドライビングシミュレータ１００はスクリーン１４４の前面から画像光を投写するフロントプロジェクション型のプロジェクタ１４２を備えるとしているが、ドライビングシミュレータ１００がスクリーン１４４の背面から画像光を投写するリアプロジェクション型のプロジェクタを備えるとしてもよい。また、ドライビングシミュレータ１００が、液晶ディスプレイや有機ＥＬディスプレイ等の他の種類の画像表示デバイスを備えるとしてもよい。
【００７３】
また、上記第１実施形態では、眼球向き検出装置１７０が筐体１０４に固定されているとしているが、眼球向き検出装置１７０が頭部装着装置１６０に固定されているとしてもよい。また、上記各実施形態では、ビデオカメラを用いて眼球向き（視線方向）を検出するとしているが、電位センサ等の他のデバイスを用いて眼球向き（視線方向）を検出するとしてもよい。
【００７４】
また、上記第１実施形態では、ドライビングシミュレータ１００の動作の制御のためにＰＣ１１０が用いられているが、ドライビングシミュレータ１００の動作の制御のために用いられる装置は、ＰＣ１１０に限られず、他の種類のコンピュータであってもよい。
【００７５】
また、上記第２実施形態におけるＨＭＤ２００の構成は、あくまで一例であり、種々変形可能である。例えば、上記第２実施形態では、ＨＭＤ２００は、画像を現実の外景に重ねて使用者ＵＳに視認させる光学透過型のヘッドマウントディスプレイであるとしているが、ＨＭＤ２００は、カメラにより外景を撮像することにより使用者ＵＳに外景を視認させるビデオ透過型のヘッドマウントディスプレイであるとしてもよいし、使用者ＵＳに外景を視認させない非透過型のヘッドマウントディスプレイであるとしてもよい。
【００７６】
また、上記各実施形態における制御処理（図３および図７）の内容は、あくまで一例であり、該処理における一部のステップを省略したり、内容を変更したり、他のステップと順番を入れ替えたりしてもよい。例えば、上記各実施形態では、症状設定部１１２，２１２が、右眼ＲＥと左眼ＬＥとの両方にマスク画像ＭＩを対応付けるとしているが、症状設定部１１２，２１２は、右眼ＲＥと左眼ＬＥとの一方のみにマスク画像ＭＩを対応付けるとしてもよい。例えば、第１実施形態において、右眼ＲＥと左眼ＬＥとの一方のみにマスク画像ＭＩが対応付けられる場合には、マスク画像ＭＩが対応付けられない眼についての表示画像ＤＩは、風景画像ＳＩのみから構成される。また、例えば、第２実施形態において、右眼ＲＥと左眼ＬＥとの一方のみにマスク画像ＭＩが対応付けられる場合には、マスク画像ＭＩが対応付けられない眼については画像が表示されない。このようにすれば、右眼ＲＥと左眼ＬＥとの一方のみに緑内障の症状を有する状態を模擬することができ、例えば、視野欠損の症状が利き眼にあるときと、利き眼とは反対側の眼にあるときとで、見え方や行動への影響がどのように異なるかを調べることができる。
【００７７】
また、上記各実施形態の制御処理において、右眼用表示画像ＤＩ（ｒ）と左眼用表示画像ＤＩ（ｌ）とを微妙に異ならせることにより、使用者ＵＳに３Ｄ画像を視認させるとしてもよい。
【００７８】
また、上記第２実施形態の制御処理では、表示画像ＤＩ（右眼用表示画像ＤＩ（ｒ）および左眼用表示画像ＤＩ（ｌ））がマスク画像ＭＩのみから構成されるとしているが、第１実施形態の制御処理と同様に、表示画像ＤＩが風景画像ＳＩ上にマスク画像ＭＩが配置された構成であるとしてもよい。
【００７９】
また、上記各実施形態において、ハードウェアによって実現されている構成の一部をソフトウェアに置き換えるようにしてもよく、反対に、ソフトウェアによって実現されている構成の一部をハードウェアに置き換えるようにしてもよい。
【００８０】
また、上記各実施形態では、視覚機能低下として緑内障を例に挙げて説明したが、本発明は、緑内障以外の視覚機能低下の症状（例えば視野の一部の白濁等）を模擬する際にも同様に適用することができる。
【符号の説明】
【００８１】
１００：ドライビングシミュレータ  １０２：運転席  １０４：筐体  １１０：パーソナルコンピュータ（ＰＣ）  １１１：制御部  １１２：症状設定部  １１４：表示制御部  １１６：記憶部  １１８：操作部  １４２：プロジェクタ  １４４：スクリーン  １４６：スピーカ  １５２：ステアリングホイール  １５４：ペダル  １６０：頭部装着装置  １６２：シャッター部  １６４：頭部位置検出部  １７０：眼球向き検出装置  ２００：頭部装着型画像表示装置（ＨＭＤ）  ２１１：制御部  ２１２：症状設定部  ２１４：表示制御部  ２１６：記憶部  ２１８：操作部  ２４２：右眼用表示実行部  ２４４：左眼用表示実行部  ２４６：イヤホン  ２７０：眼球向き検出部
【図１】
0006719119.tif 000002
【図２】
0006719119.tif 000003
【図３】
0006719119.tif 000004
【図４】
0006719119.tif 000005
【図５】
0006719119.tif 000006
【図６】
0006719119.tif 000007
【図７】
0006719119.tif 000008
【図８】
0006719119.tif 000009
【図９】
0006719119.tif 000010